(57)【要約】【課題】従来の装置では、コンテンツを場所、時間、及び、ユーザー毎に利用可能にするか否かを制御ができない問題がある。【解決手段】本発明のコンテンツ制御装置は、コンテンツ有効範囲及び閲覧可能期間を示す閲覧条件を少なくとも含むコンテンツ情報を管理するコンテンツ管理部と、コンテンツの利用条件及び決済状態を少なくとも含む配信情報の管理と、コンテンツを有効とするか無効とするかの切り替え、とを行うコンテンツ配信部と、を有し、コンテンツ配信部は、ユーザーにより利用が要求されたコンテンツの閲覧条件を読み出し、ユーザーの位置情報、現在の日付を少なくとも含む現在条件が閲覧条件を満たし、かつ、配信情報中のコンテンツに対する決済が完了状態であることに応じて、コンテンツが利用可能条件を満たしたと判断し、ユーザーがダウンロードしたコンテンツを無効状態から有効状態に切り替える。【選択図】図９
2020194424.tif 000002
【特許請求の範囲】
【請求項１】
コンテンツをダウンロードしたユーザーを特定するユーザー情報を管理するユーザー管理部と、
ネットワーク回線を通じて前記ユーザーの位置情報を取得する位置情報管理部と、
前記コンテンツを有効化する地理的な範囲を示すコンテンツ有効範囲及び閲覧可能期間を示す閲覧条件を少なくとも含むコンテンツ情報を管理するコンテンツ管理部と、
前記ユーザーがダウンロードした前記コンテンツの利用条件及び決済状態を少なくとも含む配信情報の管理と、前記コンテンツを有効とするか無効とするかの切り替えと、を行うコンテンツ配信部と、を有し、
前記コンテンツ配信部は、
前記コンテンツの利用を要求した前記ユーザーの認証を前記ユーザー管理部に問い合わせ、
前記ユーザーが前記ユーザー管理部により認証されたことに応じて、認証された前記ユーザーにより利用が要求された前記コンテンツの閲覧条件を前記コンテンツ管理部を介して読み出し、
前記ユーザーの前記位置情報、現在の日付を少なくとも含む現在条件が前記閲覧条件を満たし、かつ、前記配信情報中の前記コンテンツに対する決済が完了状態であることに応じて、前記コンテンツが利用可能条件を満たしたと判断し、前記ユーザーがダウンロードした前記コンテンツを無効状態から有効状態に切り替えるコンテンツ制御装置。
【請求項２】
前記コンテンツ配信部は、前記コンテンツを前記ユーザーにダウンロードさせる際に、前記コンテンツを無効化した状態でダウンロードさせ、ダウンロード済みコンテンツに関する利用要求されたときの現在状態が前記利用可能条件を満たしていることに応じてダウンロード済みコンテンツを有効化する請求項１に記載のコンテンツ制御装置。
【請求項３】
前記コンテンツ配信部は、前記コンテンツを前記ユーザーにダウンロードさせる際に、ダウンロード対象の前記コンテンツの利用期間、利用回数を少なくとも含むコンテンツカスタマイズ情報を前記ユーザーから受信し、受信したコンテンツカスタマイズ情報を前記配信情報に記載する請求項１又は２に記載のコンテンツ制御装置。
【請求項４】
前記ユーザーに配信したコンテンツに関する購入処理を行う購入処理部と、
前記購入処理部において処理された購入情報に基づき決済処理を行う決済処理部と、を有し、
前記コンテンツ配信部は、前記コンテンツが前記ユーザーにダウンロードされるタイミング、又は、前記ユーザーが前記コンテンツの閲覧を要求するタイミングにおいて、前記ユーザーに前記コンテンツに関する購入を要求し、前記購入処理部及び前記決済処理部において決済処理が完了したことに応じて、前記閲覧条件中の決済情報を決済済みに書き換える請求項１乃至３のいずれか１項に記載のコンテンツ制御装置。
【請求項５】
前記ユーザーの位置情報を蓄積し、複数のユーザーの所定の範囲内での混雑度を分析すると共に、前記複数のユーザーの動線を把握し、前記混雑度が予め設定した閾値を越えたことに応じて、前記ユーザーに他のエリアへの誘導通知を発する行動予測部を有する請求項１乃至４のいずれか１項に記載のコンテンツ制御装置。
【請求項６】
コンテンツの利用状態を制御するコンテンツ制御装置におけるコンテンツ制御方法であって、
コンテンツをダウンロードしたユーザーを特定するユーザー情報を管理するユーザー管理処理と、
ネットワーク回線を通じて前記ユーザーの位置情報を取得する位置情報管理処理と、
前記コンテンツを有効化する地理的な範囲を示すコンテンツ有効範囲及び閲覧可能期間を示す閲覧条件を少なくとも含むコンテンツ情報を管理するコンテンツ管理処理と、
前記ユーザーがダウンロードした前記コンテンツの利用条件及び決済状態を少なくとも含む配信情報の管理と、前記コンテンツを有効とするか無効とするかの切り替え、とを行うコンテンツ配信処理と、行い、
前記コンテンツ配信処理において、
前記コンテンツの利用を要求した前記ユーザーの認証を前記ユーザー管理処理において行い、
前記ユーザーが前記ユーザー管理処理により認証されたことに応じて、認証された前記ユーザーにより利用が要求された前記コンテンツの閲覧条件を前記コンテンツ管理処理を介して読み出し、
前記ユーザーの前記位置情報、現在の日付を少なくとも含む現在条件が前記閲覧条件を満たし、かつ、前記配信情報中の前記コンテンツに対する決済が完了状態であることに応じて、前記コンテンツが利用可能条件を満たしたと判断し、前記ユーザーがダウンロードした前記コンテンツを無効状態から有効状態に切り替えるコンテンツ制御方法。
【請求項７】
コンテンツの利用状態を制御するコンテンツ制御処理をコンピュータに実行させるコンテンツ制御プログラムであって、
コンテンツをダウンロードしたユーザーを特定するユーザー情報を管理するユーザー管理処理と、
ネットワーク回線を通じて前記ユーザーの位置情報を取得する位置情報管理処理と、
前記コンテンツを有効化する地理的な範囲を示すコンテンツ有効範囲及び閲覧可能期間を示す閲覧条件を少なくとも含むコンテンツ情報を管理するコンテンツ管理処理と、
前記ユーザーがダウンロードした前記コンテンツの利用条件及び決済状態を少なくとも含む配信情報の管理と、前記コンテンツを有効とするか無効とするかの切り替え、とを行うコンテンツ配信処理と、行い、
前記コンテンツ配信処理において、
前記コンテンツの利用を要求した前記ユーザーの認証を前記ユーザー管理処理において行い、
前記ユーザーが前記ユーザー管理処理により認証されたことに応じて、認証された前記ユーザーにより利用が要求された前記コンテンツの閲覧条件を前記コンテンツ管理処理を介して読み出し、
前記ユーザーの前記位置情報、現在の日付を少なくとも含む現在条件が前記閲覧条件を満たし、かつ、前記配信情報中の前記コンテンツに対する決済が完了状態であることに応じて、前記コンテンツが利用可能条件を満たしたと判断し、前記ユーザーがダウンロードした前記コンテンツを無効状態から有効状態に切り替えるコンテンツ制御プログラム。
【発明の詳細な説明】
【技術分野】
【０００１】
本発明はコンテンツ制御装置、コンテンツ制御方法及びコンテンツ制御プログラムに関し、特に、特定の場所及び特定の期間を指定してユーザーに提供されるコンテンツの利用を制御するコンテンツ制御装置、コンテンツ制御方法及びコンテンツ制御プログラムに関する。
【背景技術】
【０００２】
ユーザーが特定の場所を訪れた際、ユーザーの位置を既知の位置情報受信機能により把握し、関連する情報を配信する、またはユーザー自身がコード等を読み取り、情報を受信するというサービスは普及してきている。しかし、これらサービスの多くは訪れた全ユーザーが配布対象であり、例えば、美術館の音声ガイドといった、特別なサービスを有料で購入したユーザーのみが受けられるサービスを提供する場合、専用端末の使用が前提となることが多い。このようなコンテンツ配信システムの一例が特許文献１に開示されている。
【０００３】
特許文献１に記載のサーバ装置は、電子コンテンツを管理するサーバ装置であって、期間を特定するための期間情報と領域を特定するための領域情報とを、前記電子コンテンツと関連付けて格納する格納手段と、前記電子コンテンツの配信要求であって、時刻を示す時刻情報と、それぞれの時刻における端末の位置を示す位置情報とを含む配信要求を、該端末より受信する受信手段と、前記格納手段に格納された電子コンテンツのうち、関連付けられた期間情報により特定される期間が、前記受信した配信要求に含まれる時刻情報が示す時刻を含み、かつ、関連付けられた領域情報により特定される領域が、前記受信した配信要求に含まれる位置情報が示す位置を含む電子コンテンツを抽出する抽出手段と、前記抽出手段により抽出された電子コンテンツを、前記端末に対して配信する配信手段と、を有することを特徴とする。
【先行技術文献】
【特許文献】
【０００４】
【特許文献１】特開２０１７−０２１４９１号公報
【発明の概要】
【発明が解決しようとする課題】
【０００５】
しかしながら、特許文献１に記載のサーバ装置には、ユーザー端末に配信或いはダウンロードされたコンテンツを、場所、時間、及び、ユーザー毎に利用可能にするか利用不可とするかのコンテンツ制御ができない問題がある。
【課題を解決するための手段】
【０００６】
本発明にかかるコンテンツ制御装置の一態様は、コンテンツをダウンロードしたユーザーを特定するユーザー情報を管理するユーザー管理部と、ネットワーク回線を通じて前記ユーザーの位置情報を取得する位置情報管理部と、前記コンテンツを有効化する地理的な範囲を示すコンテンツ有効範囲及び閲覧可能期間を示す閲覧条件を少なくとも含むコンテンツ情報を管理するコンテンツ管理部と、前記ユーザーがダウンロードした前記コンテンツの利用条件及び決済状態を少なくとも含む配信情報の管理と、前記コンテンツを有効とするか無効とするかの切り替えと、を行うコンテンツ配信部と、を有し、前記コンテンツ配信部は、前記コンテンツの利用を要求した前記ユーザーの認証を前記ユーザー管理部に問い合わせ、前記ユーザーが前記ユーザー管理部により認証されたことに応じて、認証された前記ユーザーにより利用が要求された前記コンテンツの閲覧条件を前記コンテンツ管理部を介して読み出し、前記ユーザーの前記位置情報、現在の日付を少なくとも含む現在条件が前記閲覧条件を満たし、かつ、前記配信情報中の前記コンテンツに対する決済が完了状態であることに応じて、前記コンテンツが利用可能条件を満たしたと判断し、前記ユーザーがダウンロードした前記コンテンツを無効状態から有効状態に切り替える。
【０００７】
本発明にかかるコンテンツ制御方法は、コンテンツの利用状態を制御するコンテンツ制御装置におけるコンテンツ制御方法であって、コンテンツをダウンロードしたユーザーを特定するユーザー情報を管理するユーザー管理処理と、ネットワーク回線を通じて前記ユーザーの位置情報を取得する位置情報管理処理と、前記コンテンツを有効化する地理的な範囲を示すコンテンツ有効範囲及び閲覧可能期間を示す閲覧条件を少なくとも含むコンテンツ情報を管理するコンテンツ管理処理と、前記ユーザーがダウンロードした前記コンテンツの利用条件及び決済状態を少なくとも含む配信情報の管理と、前記コンテンツを有効とするか無効とするかの切り替え、とを行うコンテンツ配信処理と、行い、前記コンテンツ配信処理において、前記コンテンツの利用を要求した前記ユーザーの認証を前記ユーザー管理処理において行い、前記ユーザーが前記ユーザー管理処理により認証されたことに応じて、認証された前記ユーザーにより利用が要求された前記コンテンツの閲覧条件を前記コンテンツ管理処理を介して読み出し、前記ユーザーの前記位置情報、現在の日付を少なくとも含む現在条件が前記閲覧条件を満たし、かつ、前記配信情報中の前記コンテンツに対する決済が完了状態であることに応じて、前記コンテンツが利用可能条件を満たしたと判断し、前記ユーザーがダウンロードした前記コンテンツを無効状態から有効状態に切り替える。
【０００８】
本発明にかかるコンテンツ制御プログラムは、コンテンツの利用状態を制御するコンテンツ制御処理をコンピュータに実行させるコンテンツ制御プログラムであって、コンテンツをダウンロードしたユーザーを特定するユーザー情報を管理するユーザー管理処理と、ネットワーク回線を通じて前記ユーザーの位置情報を取得する位置情報管理処理と、前記コンテンツを有効化する地理的な範囲を示すコンテンツ有効範囲及び閲覧可能期間を示す閲覧条件を少なくとも含むコンテンツ情報を管理するコンテンツ管理処理と、前記ユーザーがダウンロードした前記コンテンツの利用条件及び決済状態を少なくとも含む配信情報の管理と、前記コンテンツを有効とするか無効とするかの切り替え、とを行うコンテンツ配信処理と、行い、前記コンテンツ配信処理において、前記コンテンツの利用を要求した前記ユーザーの認証を前記ユーザー管理処理において行い、前記ユーザーが前記ユーザー管理処理により認証されたことに応じて、認証された前記ユーザーにより利用が要求された前記コンテンツの閲覧条件を前記コンテンツ管理処理を介して読み出し、前記ユーザーの前記位置情報、現在の日付を少なくとも含む現在条件が前記閲覧条件を満たし、かつ、前記配信情報中の前記コンテンツに対する決済が完了状態であることに応じて、前記コンテンツが利用可能条件を満たしたと判断し、前記ユーザーがダウンロードした前記コンテンツを無効状態から有効状態に切り替える。
【発明の効果】
【０００９】
本発明にかかるコンテンツ制御装置、コンテンツ制御方法及びコンテンツ制御プログラムによれば、ユーザー毎に場所及び期間を指定したコンテンツの有効と無効との切替制御を行うことができる。
【図面の簡単な説明】
【００１０】
【図１】実施の形態１にかかるコンテンツ制御装置のブロック図である。
【図２】実施の形態１にかかるコンテンツ制御装置で用いられるデータベースの構成例を示す図である。
【図３】実施の形態１にかかるコンテンツ制御装置にアクセスするユーザー端末のブロック図である。
【図４】実施の形態１にかかるコンテンツ制御装置によるコンテンツ制御を受けるユーザー端末の動作の概要を説明する図である。
【図５】屋内位置情報取得部と実施の形態１にかかるコンテンツ制御装置の関係を説明する図である。
【図６】実施の形態１にかかるコンテンツ制御装置のコンテンツ配信方法を説明するフローチャートである。
【図７】実施の形態１にかかるコンテンツ制御装置のコンテンツ有効化処理を説明するフローチャートである。
【図８】実施の形態１にかかるコンテンツ制御装置のコンテンツ無効化処理を説明するフローチャートである。
【図９】実施の形態１にかかるコンテンツ制御装置におけるコンテンツ制御方法を説明する状態遷移図である。
【図１０】実施の形態２にかかるコンテンツ制御装置のブロック図である。
【図１１】実施の形態２にかかるコンテンツ制御装置の混雑分析処理及びユーザー誘導通知処理を説明するフローチャートである。
【図１２】実施の形態２にかかるコンテンツ制御装置を用いたユーザーの誘導態様の一例を説明する図である。
【発明を実施するための形態】
【００１１】
説明の明確化のため、以下の記載及び図面は、適宜、省略、及び簡略化がなされている。また、様々な処理を行う機能ブロックとして図面に記載される各要素は、ハードウェア的には、ＣＰＵ（Central Processing Unit）、メモリ、その他の回路で構成することができ、ソフトウェア的には、メモリにロードされたプログラムなどによって実現される。したがって、これらの機能ブロックがハードウェアのみ、ソフトウェアのみ、またはそれらの組合せによっていろいろな形で実現できることは当業者には理解されるところであり、いずれかに限定されるものではない。なお、各図面において、同一の要素には同一の符号が付されており、必要に応じて重複説明は省略されている。
【００１２】
また、上述したプログラムは、様々なタイプの非一時的なコンピュータ可読媒体を用いて格納され、コンピュータに供給することができる。非一時的なコンピュータ可読媒体は、様々なタイプの実体のある記録媒体を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００１３】
実施の形態１
以下、図面を参照して本発明の実施の形態について説明する。図１に実施の形態１にかかるコンテンツ制御装置１のブロック図を示す。図１に示すように、実施の形態１にかかるコンテンツ制御装置１は、公衆ネットワーク１７を介して外部情報１７０を取り込む。この外部情報１７０は、例えば、コンテンツを利用するユーザーが所持するユーザー端末から得られる情報である。この外部情報１７０には、時刻、位置情報、ユーザーＩＤ等が含まれる。
【００１４】
実施の形態１にかかるコンテンツ制御装置１は、例えば、コンピュータ上で実行されるプログラム等によっても実現できるものであるが、以下の説明では、プログラムにより実行される処理を処理ブロックとして示して、説明を行う。なお、実施の形態１にかかるコンテンツ制御装置は、各種情報をデータベースに格納したテーブルを用いて管理するが、以下の説明及び図面では、場合に応じて、データベースをＤＢと称す。
【００１５】
実施の形態１にかかるコンテンツ制御装置１は、ユーザー端末にコンテンツを自装置からダウンロードさせ、ダウンロードさせたコンテンツの有効と無効とを切り替える。また、実施の形態１にかかるコンテンツ制御装置１は、ユーザー、或いは、ユーザー端末の位置、及び、コンテンツの利用要求をした時間に応じて、ダウンロードさせたコンテンツの有効と無効とを切り替える。以下、コンテンツ制御装置１の構成について詳細に説明する。
【００１６】
実施の形態１にかかるコンテンツ制御装置１は、コンテンツ配信部１０、ユーザー管理部１１、コンテンツ管理部１２、位置情報管理部１３、購入処理部１４、決済処理部１５、通信部１６を有する。また、コンテンツ制御装置１は、配信データベース１００、ユーザーデータベース１１０、コンテンツデータベース１２０を有する。配信データベース１００、ユーザーデータベース１１０、コンテンツデータベース１２０は、コンピュータ上のメモリ、ハードディスク等の１つの記憶装置内に構築される異なるデータベース（例えば、テーブル）でもよく、個別の記憶装置内に分散して構築されるデータベースでもよい。
【００１７】
コンテンツ配信部１０は、ユーザーがダウンロードしたコンテンツの利用条件及び決済状態を少なくとも含む配信情報の管理と、コンテンツを有効とするか無効とするかの切り替え、とを行う。より具体的には、コンテンツ配信部１０は、ユーザー端末から得た情報、及び、配信データベース１００に格納された配信情報、ユーザーデータベース１１０に格納されたユーザー情報、コンテンツデータベース１２０に格納されたコンテンツ情報に基づきユーザー端末にダウンロードしたコンテンツの有効と無効とを切り替える。
【００１８】
コンテンツ配信部１０は、コンテンツの有効と無効と切り替える場合、詳細には、以下の処理を行う。コンテンツ配信部１０は、まず、コンテンツの利用を要求したユーザーの認証をユーザー管理部１１に問い合わせる。次いで、コンテンツ配信部１０は、ユーザーがユーザー管理部１１により認証されたことに応じて、認証されたユーザーにより利用が要求されたコンテンツの閲覧条件をコンテンツ管理部１２を介して読み出す。次いで、コンテンツ配信部１０は、ユーザーの位置情報、現在の日付を少なくとも含む現在条件が閲覧条件を満たし、かつ、配信情報中のコンテンツに対する決済が完了状態であることに応じて、コンテンツが利用可能条件を満たしたと判断し、ユーザーがダウンロードしたコンテンツを無効状態から有効状態に切り替える。
【００１９】
ここで、配信データベース１００に含まれる配信情報について説明する。そこで、図２に配信情報（配信ＤＢのテーブル構成）の一例を示す。図２に示すように、配信情報には、コンテンツをダウンロードしたユーザーＩＤと、ユーザー端末に配信したコンテンツと、の組み合わせ毎に、当該コンテンツの購入情報が記載される。この購入情報には、状態フラグ（図中の状態）、閲覧可能回数（図中の回数）、Ｏｐｅｎ／Ｆｉｘフラグ、決済状態（図中の決済）、日程情報（図中の日程１〜４）が含まれる。状態フラグは、コンテンツの有効と無効、コンテンツの利用条件を満了したことを示す終了と、を示すものである。閲覧可能回数は、コンテンツを有効化可能な回数の残回数が記載される。Ｏｐｅｎ／Ｆｉｘフラグは、コンテンツが閲覧可能な期間内の日時を指定しない閲覧条件で購入されたものであるときはＯｐｅｎとされ、コンテンツが閲覧可能な期間内の特定の日時を指定した閲覧条件で購入されたものであるときはＦｉｘとされるフラグである。決済状態は、コンテンツに関する決済状態を示すものであり、決済済みであれば「済み」、決済が未完了である場合は「未払」となる。日程情報は、ユーザーにより与えられたコンテンツ利用日（Ｏｐｅｎ／ＦｉｘフラグがＯｐｅｎである場合）、及び、利用予定日（Ｏｐｅｎ／ＦｉｘフラグがＦｉｘである場合）等の日付が記載される。図２に示す例のうちａｂｃ＠ｘｘ．ｘｘ．ｃｏｍのコンテンツＩＤが０００００１００ａに関する欄を参照すると、Ｏｐｅｎ／ＦｉｘフラグがＯｐｅｎとなっている。そして、日程１に２０１８年１１月１１日に利用があったことが記され、閲覧可能回数が３となっている。この場合、ａｂｃ＠ｘｘ．ｘｘ．ｃｏｍは、コンテンツＩＤが０００００１００ａとなるコンテンツを現在以降３回閲覧可能であり、日程２〜４に残り３回の利用日が記録される。
【００２０】
また、コンテンツ配信部１０は、ユーザー端末からの要求に応じて、ユーザー管理部１１、コンテンツ管理部１２、位置情報管理部１３、購入処理部１４、決済処理部１５を制御する。このコンテンツ配信部１０の動作の詳細は後述する。
【００２１】
ユーザー管理部１１は、コンテンツをダウンロードしたユーザーを特定するユーザー情報を管理する。このユーザー情報（ユーザーＤＢのテーブル構成）の一例を図２に示す。図２に示すように、実施の形態１にかかるコンテンツ制御装置１では、ユーザー情報として、ユーザーのメールアドレスにより構成されるユーザーＩＤ、ユーザーＩＤに紐付けられた、ユーザー毎のパスワード、アプリ決済フラグ及びクレジットカード番号が記載される。アプリ決済フラグは、ユーザー端末上で動作するアプリケーションソフトウェア上での決済処理（アプリ決済）が可能かどうかを示すフラグ値である。アプリ決済フラグは、１であればアプリ決済が可能であることを示し、０であればアプリ決済が不可であることを示す。また、アプリ決済フラグが１であるユーザーＩＤには、クレジットカード番号欄にクレジットカード番号が記載される。
【００２２】
また、ユーザー管理部１１は、新規のユーザーから登録要求を受信した場合に登録要求を発した新規ユーザーのユーザー情報をテーブルに加える。また、ユーザー管理部１１は、ユーザーから認証要求があった場合には、ユーザーデータベース１１０に格納されたユーザー情報を参照してユーザーの認証を行う。
【００２３】
コンテンツ管理部１２は、コンテンツを有効化する地理的な範囲を示すコンテンツ有効範囲及び閲覧可能期間を示す閲覧条件を少なくとも含むコンテンツ情報を管理する。このコンテンツ情報は、コンテンツデータベース１２０に格納される。コンテンツ情報（コンテンツＤＢのテーブル構成）の一例を図２に示す。図２に示すように、コンテンツ情報には、コンテンツ毎に、コンテンツＩＤ、コンテンツ名、コンテンツ提供場所の名称（図中の場所）、コンテンツ提供場所の緯度及び経度、有効化する地理的な範囲を示すコンテンツ有効範囲（図中の半径）、コンテンツ利用可能期間の開始日及び終了日（図中の開始日及び終了日）、コンテンツ提供場所の休館日情報（図中の休館日）、コンテンツの利用態様を示すＯｐｅｎフラグ及びＦｉｘフラグが記載される。
【００２４】
コンテンツＩＤは、コンテンツを特定するためのＩＤ番号である。コンテンツ名は、コンテンツの名称を示すテキスト情報である。場所は、コンテンツを提供する場所の名称を示すテキスト情報である。緯度及び経度は、コンテンツを提供する場所をＧＰＳ（Global Positioning System）情報を元に特定するための緯度及び経度を示す値である。半径は、コンテンツ提供場所を示す緯度及び経度で示される点を中心としたコンテンツを有効化する範囲を示す円形エリアの半径を示す値である。開始日は、コンテンツ利用可能期間の開始日を示す日付である。終了日は、コンテンツ利用可能期間の終了日を示す日付である。休館日は、コンテンツ提供施設の休館日を示す値である。Ｏｐｅｎフラグは、コンテンツの利用形態が日付を指定しない形態であるときに１となる値である。Ｆｉｘフラグは、コンテンツの利用形態が日付を特定する形態であるときに１となる値である。
【００２５】
コンテンツ管理部１２はコンテンツ登録業者からの要求に従ってコンテンツデータベース１２０に格納するコンテンツ情報にユーザーに提供するコンテンツに関する情報を追記する。また、コンテンツ管理部１２は、コンテンツ配信部１０からの要求に従って指定されたコンテンツのコンテンツ情報をコンテンツ配信部１０に渡す。
【００２６】
位置情報管理部１３は、公衆ネットワーク１７を介してユーザーの位置情報を取得する。より具体的には、位置情報管理部１３は、公衆ネットワーク１７を介してユーザーが有する端末において取得された位置情報（例えば、ＧＰＳ情報）を取得して、ＧＰＳ情報に基づき緯度及び経度の値をコンテンツ配信部１０に出力する。
【００２７】
購入処理部１４は、ユーザーに配信したコンテンツに関する購入処理を行う。決済処理部１５は、購入処理部において処理された購入情報に基づき決済処理を行う。具体的には、購入処理部１４はコンテンツ配信部１０を介してユーザーに購入に必要なインタフェース画面を提示するとともに、インタフェース画面を介して入力された決済情報を決済処理部１５に渡す。そして、決済処理部１５により決済情報に基づく決済処理が承認されたことに応じて、決済処理部１５が購入処理部１４に決済の成功を通知する。そして、購入処理部１４は、決済が成功したことに応じてコンテンツ配信部１０に決済結果を通知する。そして、コンテンツ配信部１０は、購入処理部１４からの決済成功通知に基づき配信データベース１００に格納されている配信情報の決済情報を未払から決済済みに書き換える。通信部１６は、コンテンツ配信部１０及び位置情報管理部１３と公衆ネットワーク１７とを接続する通信インタフェースである。
【００２８】
ここで、実施の形態１にかかるコンテンツ制御装置１による制御対象となるコンテンツをダウンロードするユーザー端末について説明する。そこで、図３に実施の形態１にかかるコンテンツ制御装置１にアクセスするユーザー端末２０のブロック図を示す。図３に示すように、ユーザー端末２０は、通信部２１、位置情報取得部２２、コンテンツアプリケーション２４、コンテンツデータ格納部２５を有する。また、位置情報取得部２２には、ＧＰＳ情報等の位置情報を他の装置から得る受信部２３を有する。
【００２９】
通信部２１は、ユーザー端末２０を公衆ネットワーク１７に接続するための通信インタフェースである。位置情報取得部２２は、受信部２３により受信した位置情報をコンテンツアプリケーション２４に渡す。コンテンツデータ格納部２５は、コンテンツ配信部１０からダウンロードしたコンテンツの格納領域である。コンテンツデータ格納部２５に格納されたコンテンツは、ダウンロード当初は無効化された状態である。コンテンツアプリケーション２４は、コンテンツデータ格納部２５に格納されているコンテンツを読み出して実行する。また、コンテンツアプリケーション２４は、コンテンツが無効化された状態であれば、コンテンツ配信部１０に位置情報を含む利用要求を送信してコンテンツを有効化する。
【００３０】
ここで、実施の形態１にかかるコンテンツ制御装置１を用いたコンテンツ制御を受けるユーザー端末２０の動作の概要について説明する。そこで、図４に、実施の形態１にかかるコンテンツ制御装置によるコンテンツ制御を受けるユーザー端末２０の動作の概要を説明する図を示す。図４に示す例は、例えば、ＧＰＳ衛星、準天頂衛星ＱＺＳＳ（Quasi-Zenith Satellite System）等の通信衛星４００により発せられる位置情報が美術館等のＧＰＳ電波等の衛星からの信号が届かない美術館等の室内においてコンテンツを有効化するものである。そのため、図４に示す例では、ＧＰＳ電波が届かない館内において位置情報信号を発信する送受信機３０〜３２を用いる。送受信機３０〜３２は、例えば、無線ＬＡＮアクセスポイント、屋内においてＧＰＳ、ＱＺＳＳ等の衛星情報を受信するためのＩＭＥＳ（Indoor Messaging System）、ｉＰＮＴ（indoor Position Navigation Timing）等の装置である。また、送受信機３０〜３２は、屋内位置情報取得部４０と接続される。そして、ユーザーが所持するユーザー端末は、屋内位置情報取得部４０を介して公衆ネットワーク１７の先に接続されるコンテンツ制御装置１と、位置情報及びその他コンテンツの制御に必要な情報を送受信する。
【００３１】
なお、屋内位置情報取得部４０の構成及び屋内位置情報取得部４０とコンテンツ制御装置１との接続関係を図５に示す。図５に示すように、屋内位置情報取得部４０は、ゲートウェイ４１及び受信部４２を有する。受信部４２は、送受信機３０〜３２と通信を行う通信処理部である。ゲートウェイ４１は、屋内位置情報取得部４０を公衆ネットワーク１７に接続するための処理ブロックである。そして、屋内位置情報取得部４０は、公衆ネットワーク１７を介してコンテンツ制御装置１と情報の送受信を行う。
【００３２】
図４に示すように、実施の形態１にかかるコンテンツ制御装置１を用いたコンテンツ制御では、コンテンツ提供場所の入口付近にユーザーＨ１が来たことで、所持するユーザー端末２０にダウンロードしたコンテンツを有効化する。また、コンテンツ提供場所の館内にいるユーザーＨ２、Ｈ３については、コンテンツが有効化された状態で館内の展示を閲覧する。そして、コンテンツ提供場所の出口付近にユーザーＨ４が来たことで、所持するユーザー端末２０にダウンロードしたコンテンツを無効化する。
【００３３】
以下では、実施の形態１にかかるコンテンツ制御装置１を用いたコンテンツ制御の詳細について説明する。まず、実施の形態１にかかるコンテンツ制御装置１のコンテンツ配信方法について説明する。図６に実施の形態１にかかるコンテンツ制御装置１のコンテンツ配信方法を説明するフローチャートを示す。
【００３４】
図６に示すように、コンテンツを配信する場合、実施の形態１にかかるコンテンツ制御装置１では、まず、ユーザーがユーザー端末２０上でコンテンツ配信を受けるアプリケーションソフトを起動する（ステップＳ１）。これにより、ユーザー端末２０は、コンテンツ制御装置１へのアクセスを行う。そして、ユーザー端末２０からのアクセスを受けたコンテンツ制御装置１は、コンテンツ配信部１０を用いて配信可能なコンテンツをユーザー端末２０上に表示する（ステップＳ２）。このとき、コンテンツ配信部１０は、コンテンツ管理部１２を介してコンテンツデータベース１２０に格納されたコンテンツ情報を読み込む。
【００３５】
続いて、ユーザーがユーザー端末２０に表示されたコンテンツから利用するコンテンツを選択する（ステップＳ３）。そして、ユーザーは、選択したコンテンツのカスタマイズをする（ステップＳ４）。このカスタマイズでは、コンテンツの利用日の指定、利用回数の指定、Ｏｐｅｎ／Ｆｉｘの利用形態の選択等を行う。そして、ユーザー端末２０からコンテンツ制御装置１に、ユーザーＩＤ、選択したコンテンツを特定する情報と、そのコンテンツに対して行われたカスタマイズ情報を送信する。このカスタマイズ情報を受信したことにより、コンテンツ配信部１０は、配信データベース１００にカスタマイズ情報に基づき配信情報のレコードを生成し、当該レコードを配信データベース１００に格納されている配信情報に追記する（ステップＳ５）。
【００３６】
続いて、コンテンツ配信部１０は、ユーザー端末２０を所持するユーザーに対して、ユーザー端末２０を介して選択したコンテンツの代金を提示する（ステップＳ６）。そして、代金が提示されたユーザーがコンテンツの購入をやめる場合、変更／削除を選択した後に、ユーザー端末２０のコンテンツアプリケーション２４により再度コンテンツ選択処理を行う（ステップＳ７）。また、代金が提示されたユーザーがユーザー端末２０上で実行されるアプリケーションソフト内で決済処理を行う場合（以下、アプリ決済と称す）、アプリケーションソフトを操作してコンテンツ制御装置１にユーザー認証を要求する（ステップＳ７）。また、代金が提示されたユーザーが決済処理をコンテンツ提供場所にて行うこととした場合、アプリケーションソフトを操作してコンテンツ制御装置１にコンテンツのダウンロード要求を発する（ステップＳ７）。
【００３７】
続いて、ステップＳ７でアプリ決済を選択した場合の処理について説明する。ユーザーがアプリ決済を選択した場合、コンテンツ制御装置１のコンテンツ配信部１０は、ユーザー管理部１１にユーザー認証を要求し、ユーザー管理部１１がユーザーデータベース１１０のユーザー情報を参照してユーザー認証を行う（ステップＳ８）。そして、ユーザー認証が完了したことに応じて、コンテンツ配信部１０は、購入処理部１４及び決済処理部１５を用いて決済処理を行う（ステップＳ９）。この決済処理の結果は、コンテンツ配信部１０が配信データベース１００の配信情報に書き込む。
【００３８】
続いて、ステップＳ７で支払いを現地払いとすることを選択した場合、及び、決済処理が完了したことに応じて行われるコンテンツ配信処理について説明する。コンテンツ配信処理では、例えば配信データベース１００の配信情報を参照して、コンテンツデータベース１２０に格納されているコンテンツをコンテンツ配信部１０からユーザー端末２０に送信する（ステップＳ１０）。これにより、ユーザー端末２０のコンテンツデータ格納部２５にステップＳ３で選択したコンテンツがダウンロードされる（ステップＳ１１）。このとき、コンテンツ制御装置１は、コンテンツを無効化した状態でユーザー端末２０に送信する（ステップＳ１２）。
【００３９】
上記処理により、実施の形態１にかかるコンテンツ制御装置１では、無効化したコンテンツをユーザー端末２０に送信する。続いて、実施の形態１にかかるコンテンツ制御装置のコンテンツ有効化処理を説明する。そこで、図７に実施の形態１にかかるコンテンツ制御装置のコンテンツ有効化処理を説明するフローチャートを示す。
【００４０】
図７に示すように、コンテンツを利用する場合、実施の形態１にかかるコンテンツ制御装置１では、まず、ユーザーがユーザー端末２０上でコンテンツ配信を受けるアプリケーションソフトを起動する（ステップＳ２１）。そして、ユーザー端末２０で立ち上げられたアプリケーションソフトからの要求に応じて、コンテンツ配信部１０がユーザー管理部１１にユーザー認証処理を求める（ステップＳ２２）。そして、このユーザー認証処理において、認証要求を発したユーザー端末２０を利用するユーザーの認証が完了したら、コンテンツ配信部１０は、ユーザー端末２０に位置情報を要求する。そして、ユーザー端末２０は、コンテンツ配信部１０からの要求に基づき、自装置の現在の位置を示す位置情報をコンテンツ制御装置１に送信する（ステップＳ２３）。
【００４１】
続いて、ユーザー端末２０から位置情報を受信したコンテンツ制御装置１は、位置情報管理部１３において受信した位置情報から緯度経度情報を生成する（ステップＳ２４）。次いで、コンテンツ配信部１０が、配信データベース１００から配信情報を読み出して、利用要求に対応するコンテンツに関する配信情報を抽出する（ステップＳ２５）。次いで、コンテンツ配信部１０がコンテンツ管理部１２を介してコンテンツデータベース１２０に格納されたコンテンツ情報を読み出し、読み出したコンテンツ情報からユーザーから利用要求に対応するコンテンツ情報を抽出する（ステップＳ２６）。次いで、コンテンツ配信部１０は、日付等の外部情報を公衆ネットワーク１７を介して外部情報１７０から受信する（ステップＳ２７）。
【００４２】
続いて、コンテンツ配信部１０がステップＳ２４〜Ｓ２７で得た情報に基づき利用要求されたコンテンツの有無を確認する（ステップＳ２８）。このステップＳ２８では、第１の閲覧条件は、ステップＳ２４で受信した位置情報がステップＳ２６で抽出した利用対象コンテンツのコンテンツ情報の緯度、経度及び半径により規定されるコンテンツ有効範囲の範囲内であることである。第２の閲覧条件は、ステップＳ２５で取得した利用対象コンテンツの配信情報のＯｐｅｎ／ＦｉｘフラグがＯｐｅｎである場合は、配信情報ステップＳ２７で取得した日付が利用対象コンテンツのコンテンツ情報の利用可能期間内であることである。また、第２の閲覧条件では、利用対象コンテンツの配信情報のＯｐｅｎ／ＦｉｘフラグがＦｉｘである場合、配信情報ステップＳ２７で取得した日付が利用対象コンテンツの配信情報の利用予約日と一致するかことである。実施の形態１にかかるコンテンツ制御装置１では、ステップＳ２４で取得した位置情報及びステップＳ２７で取得した現在日付により規定される現在条件が、第１の閲覧条件及び第２の閲覧条件により規定される閲覧条件を満たす場合、コンテンツ制御装置１は対象コンテンツありと判断する。また、現在条件が閲覧条件を１つでも満たさない場合、コンテンツ制御装置１は、対象コンテンツなしと判断する。
【００４３】
続いて、コンテンツ制御装置１のコンテンツ配信部１０は、ステップＳ２５で読み出した配信情報の決済状態を確認し、利用料金が支払い済みであればユーザー端末２０にダウンロードされたコンテンツを有効化する（ステップＳ３１）。また、コンテンツ配信部１０は、配信情報中の決済状態が未払いであった場合、購入処理部１４及び決済処理部１５を用いて決済処理を行うとともに、配信情報は決済状態を未払から済みに書き換える（ステップＳ３０）。その後、コンテンツ配信部１０は、配信情報中の状態を有効に書き換えるとともに、ユーザー端末２０にダウンロードされたコンテンツを有効化する状態更新を行う（ステップＳ３１）。また、コンテンツ配信部１０は、コンテンツを有効化するとともに、配信データベース１００に格納されている配信情報に利用日付の記録を行う（ステップＳ３２）。そして、ステップＳ３１においてコンテンツが有効化されたことで、ユーザー端末２０においてコンテンツの利用が可能になる（ステップＳ３３）。
【００４４】
続いて、実施の形態１にかかるコンテンツ制御装置のコンテンツ無効化処理を説明する。そこで、図８に実施の形態１にかかるコンテンツ制御装置のコンテンツ無効化処理を説明するフローチャートを示す。
【００４５】
図８に示すように、ユーザー端末２０においてコンテンツが利用されている場合、ユーザー端末２０は、周期的に位置情報をコンテンツ制御装置１に送信する（ステップＳ４１、Ｓ４２）。そして、コンテンツ配信部１０は、位置情報を受信し（ステップＳ４３）、受信した位置情報に基づき、ユーザーまたはユーザー端末２０がコンテンツ提供範囲の出口付近にいるのか、出口より内側にいるのか、出口より外側にいるのかを判断する（ステップＳ４４）。
【００４６】
このステップＳ４４において、ユーザー端末２０から得た位置情報が出口より内側であることを示す場合、コンテンツ配信部１０は、引き続きユーザー端末２０から位置情報を取得する。また、ステップＳ４４において、ユーザー端末２０から得た位置情報が出口付近である場合、コンテンツ配信部１０は、ユーザー端末２０に対して、出口付近でありコンテンツの利用が出来なくなること等を通知する注意メッセージを送信する（ステップＳ４５）。注意メッセージを受信したユーザー端末２０は、ユーザーに注意メッセージを提示して再度位置情報の送信処理を行う（ステップＳ４６）。この注意メッセージは、文字メッセージに限らず、音声メッセージ、振動による通知、警告音等様々な形態でユーザーに注意を喚起するものである。また、ステップＳ４４において、ユーザー端末２０から得た位置情報が出口より外側であった場合、コンテンツ配信部１０は、コンテンツを無効化する状態更新を行い、コンテンツの利用が完了したことを配信情報に書き込む（ステップＳ４７）。また、このステップＳ４７では、配信情報にユーザーが利用回数、利用日等のカスタマイズした情報がある場合、コンテンツ制御装置は、カスタマイズ状態を修正する。例えば、回数が２回と設定されていた場合は、１回使用したため、回数を１回に修正する。回数が１回と設定されていた場合は、１回使用したため、回数は０回とする。また、回数が０回となった場合、配信情報におけるユーザーの対象コンテンツ状態を「終了」に更新する。
【００４７】
ここで、コンテンツの状態変化について説明する。そこで、図９に実施の形態１にかかるコンテンツ制御装置におけるコンテンツ制御方法を説明する状態遷移図を示す。図９に示すように、実施の形態１にかかるコンテンツ制御装置１によるコンテンツ制御では、ユーザー端末２０にコンテンツをダウンロードした時には、まず、コンテンツが無効化された状態となる。そして、現在状態が閲覧条件を満たしたことに応じてコンテンツは有効化される。また、有効化されたコンテンツは、現在位置がコンテンツ有効範囲を外れる等して現在状態が閲覧条件を満たさなくなったことに応じて無効化される。そして、コンテンツの利用可能期間、利用可能回数等のカスタマイズ条件を満了した場合、コンテンツは終了状態とされる。また、終了状態とされたコンテンツであっても、コンテンツ再購入がされた場合、無効状態に状態が遷移し、現在状態が閲覧条件をみたすことで再度有効化することが可能になる。
【００４８】
上記説明より、実施の形態１にかかるコンテンツ制御装置１を用いることで、特定の場所及び時間に限定してコンテンツをユーザーに提供することができる。また、実施の形態１にかかるコンテンツ制御装置１では、コンテンツの利用に要する料金を事前決済することも、現地で決済することもできる。また、実施の形態１にかかるコンテンツ制御装置１では、コンテンツを提供するコンテンツ有効範囲及び日にちとは異なる場所及び日にちに予めユーザー端末２０にダウンロードし、閲覧条件に従ってコンテンツを有効化する。これにより、イベント会場等混み合う場所のネットワークトラフィックを低減し、より快適なコンテンツ利用環境を提供することができる。
【００４９】
実施の形態２
実施の形態２では、実施の形態１にかかるコンテンツ制御装置１の変形例となるコンテンツ制御装置２について説明する。そこで、図１０に実施の形態２にかかるコンテンツ制御装置２のブロック図を示す。なお、実施の形態２の説明では、実施の形態１で説明した構成要素と同じ構成要素については実施の形態１と同じ符号を付して説明を省略する。
【００５０】
図１０に示すように、実施の形態２にかかるコンテンツ制御装置２は、実施の形態１にかかるコンテンツ制御装置１に行動予測部１８を追加したものである。行動予測部１８は、ユーザーの位置情報を蓄積し、複数のユーザーの所定の範囲内での混雑度を分析すると共に、複数のユーザーの動線を把握し、混雑度が予め設定した閾値を越えたことに応じて、ユーザーに他のエリアへの誘導通知を発する。そこで、行動予測部１８の動作について以下で詳細に説明する。そこで、行動予測部１８の動作を主に説明する図を図１１に示す。図１１は、実施の形態２にかかるコンテンツ制御装置の混雑分析処理及びユーザー誘導通知処理を説明するフローチャートである。
【００５１】
図１１に示すように、行動予測部１８は、ユーザー端末２０から位置情報を受信すると、例えば、コンテンツ有効範囲内のユーザー数を集計する（ステップＳ５１、Ｓ５２、Ｓ５３）。このとき、行動予測部１８は、ユーザー毎に位置情報を蓄積する。続いて、行動予測部１８は、コンテンツ有効範囲内の混雑度を把握する範囲内混雑度把握処理を行う（ステップＳ５４）。また、行動予測部１８は、ユーザー毎に蓄積した位置情報からユーザーの動線を把握するユーザー動線把握処理を行う（ステップＳ５５）。そして、ステップＳ５４の混雑度把握処理と、ステップＳ５５のユーザー動線把握処理と、の結果に基づきコンテンツ有効範囲内の混雑度がこの後どうなるかを予測する範囲内混雑度予測処理を行う（ステップＳ５６）。この範囲内混雑度予測処理において、ある一定の範囲内の混雑度が予め設定した閾値を越えたことに応じて、ユーザーに他のエリアへの誘導通知を発する（ステップＳ５７、Ｓ５８）。そして、行動予測部１８から誘導通知を受けた行動予測部１８は、誘導通知をユーザーに提示する（ステップＳ５９）。この誘導通知は、文字情報、音声情報、画像情報のいずれでも良い。また、誘導情報としては、混雑度の低い場所の提示、混雑度の低い場所で用いることができるクーポン券の提示等、様々な情報を用いることができる。
【００５２】
ここで、図１２に実施の形態２にかかるコンテンツ制御装置を用いたユーザーの誘導態様の一例を説明する図を示す。図１２に示す例では、屋内位置情報送受信装置５０、５１が屋内位置情報取得部４０と通信可能な構成となっている。そして、屋内位置情報送受信装置５０、５１を用いてコンテンツ有効範囲をカバーするシステムが構築されている。この屋内位置情報送受信装置５０、５１は、例えば、図４で説明した送受信機３０に相当するものである。
【００５３】
そして、図１２に示す例では、屋内位置情報送受信装置５０により通信が可能な第１のエリアと、屋内位置情報送受信装置５１により通信が可能な第２のエリアとが構築される。そして、第１のエリアの混雑度が、明らかに第２のエリアの混雑度よりも高くなっている。そこで、第１のエリアのユーザーに第２のエリアへの誘導通知を発することで、第１のエリア内のユーザーの一部を第２のエリアへ誘導する。これにより、第１のエリアの混雑度を緩和することができる。
【００５４】
上記説明より、実施の形態２にかかるコンテンツ制御装置２では、行動予測部１８を用いることでコンテンツ有効範囲内の混雑度を平準化することができる。
【００５５】
なお、本発明は上記実施の形態に限られたものではなく、趣旨を逸脱しない範囲で適宜変更することが可能である。
【符号の説明】
【００５６】
１、２  コンテンツ制御装置
１０  コンテンツ配信部
１１  ユーザー管理部
１２  コンテンツ管理部
１３  位置情報管理部
１４  購入処理部
１５  決済処理部
１６  通信部
１７  公衆ネットワーク
１８  行動予測部
２０  ユーザー端末
２１  通信部
２２  位置情報取得部
２３  受信部
２４  コンテンツアプリケーション
２５  コンテンツデータ格納部
３０  送受信機
３１  送受信機
３２  送受信機
４０  屋内位置情報取得部
４１  ゲートウェイ
４２  受信部
５０  屋内位置情報送受信装置
５１  屋内位置情報送受信装置
１００  配信データベース
１１０  ユーザーデータベース
１２０  コンテンツデータベース
１７０  外部情報
【図１】
2020194424.tif 000003
【図２】
2020194424.tif 000004
【図３】
2020194424.tif 000005
【図４】
2020194424.tif 000006
【図５】
2020194424.tif 000007
【図６】
2020194424.tif 000008
【図７】
2020194424.tif 000009
【図８】
2020194424.tif 000010
【図９】
2020194424.tif 000011
【図１０】
2020194424.tif 000012
【図１１】
2020194424.tif 000013
【図１２】
2020194424.tif 000014
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
コンテンツをダウンロードしたユーザーを特定するユーザー情報を管理するユーザー管理部と、
ネットワーク回線を通じて前記ユーザーの位置情報を取得する位置情報管理部と、
前記コンテンツを有効化する地理的な範囲を示すコンテンツ有効範囲及び閲覧可能期間を示す閲覧条件を少なくとも含むコンテンツ情報を管理するコンテンツ管理部と、
前記ユーザーがダウンロードした前記コンテンツについての閲覧条件及び決済状態を少なくとも含む配信情報の管理と、前記コンテンツを有効とするか無効とするかの切り替えと、を行うコンテンツ配信部と、を有し、
前記コンテンツ配信部は、
前記コンテンツの利用を要求した前記ユーザーの認証を前記ユーザー管理部に問い合わせ、
前記ユーザーが前記ユーザー管理部により認証されたことに応じて、認証された前記ユーザーにより利用が要求された前記コンテンツの前記閲覧条件を前記コンテンツ管理部を介して読み出し、
前記ユーザーの前記位置情報、現在の日付を少なくとも含む現在条件が前記閲覧条件を満たし、かつ、前記配信情報中の前記コンテンツに対する決済が完了状態であることに応じて、前記コンテンツが利用可能条件を満たしたと判断し、前記ユーザーがダウンロードした前記コンテンツを無効状態から有効状態に切り替えるコンテンツ制御装置。
【請求項２】
前記コンテンツ配信部は、前記コンテンツを前記ユーザーにダウンロードさせる際に、前記コンテンツを無効化した状態でダウンロードさせ、ダウンロード済みコンテンツに関する利用要求されたときの現在状態が前記利用可能条件を満たしていることに応じてダウンロード済みコンテンツを有効化する請求項１に記載のコンテンツ制御装置。
【請求項３】
前記コンテンツ配信部は、前記コンテンツを前記ユーザーにダウンロードさせる際に、ダウンロード対象の前記コンテンツの利用期間、利用回数を少なくとも含む前記閲覧条件を前記ユーザーから受信し、受信した前記閲覧条件を前記配信情報に記載する請求項１又は２に記載のコンテンツ制御装置。
【請求項４】
前記ユーザーに配信したコンテンツに関する購入処理を行う購入処理部と、
前記購入処理部において処理された購入情報に基づき決済処理を行う決済処理部と、を有し、
前記コンテンツ配信部は、前記コンテンツが前記ユーザーにダウンロードされるタイミング、又は、前記ユーザーが前記コンテンツの閲覧を要求するタイミングにおいて、前記ユーザーに前記コンテンツに関する購入を要求し、前記購入処理部及び前記決済処理部において決済処理が完了したことに応じて、前記配信情報中の決済状態を決済済みに書き換える請求項１乃至３のいずれか１項に記載のコンテンツ制御装置。
【請求項５】
前記ユーザーの位置情報を蓄積し、複数のユーザーの所定の範囲内での混雑度を分析すると共に、前記複数のユーザーの動線を把握し、前記混雑度が予め設定した閾値を越えたことに応じて、前記ユーザーに他のエリアへの誘導通知を発する行動予測部を有する請求項１乃至４のいずれか１項に記載のコンテンツ制御装置。
【請求項６】
コンテンツの利用状態を制御するコンテンツ制御装置におけるコンテンツ制御方法であって、
コンテンツをダウンロードしたユーザーを特定するユーザー情報を管理するユーザー管理処理と、
ネットワーク回線を通じて前記ユーザーの位置情報を取得する位置情報管理処理と、
前記コンテンツを有効化する地理的な範囲を示すコンテンツ有効範囲及び閲覧可能期間を示す閲覧条件を少なくとも含むコンテンツ情報を管理するコンテンツ管理処理と、
前記ユーザーがダウンロードした前記コンテンツについての閲覧条件及び決済状態を少なくとも含む配信情報の管理と、前記コンテンツを有効とするか無効とするかの切り替え、とを行うコンテンツ配信処理と、行い、
前記コンテンツ配信処理において、
前記コンテンツの利用を要求した前記ユーザーの認証を前記ユーザー管理処理において行い、
前記ユーザーが前記ユーザー管理処理により認証されたことに応じて、認証された前記ユーザーにより利用が要求された前記コンテンツの前記閲覧条件を前記コンテンツ管理処理を介して読み出し、
前記ユーザーの前記位置情報、現在の日付を少なくとも含む現在条件が前記閲覧条件を満たし、かつ、前記配信情報中の前記コンテンツに対する決済が完了状態であることに応じて、前記コンテンツが利用可能条件を満たしたと判断し、前記ユーザーがダウンロードした前記コンテンツを無効状態から有効状態に切り替えるコンテンツ制御方法。
【請求項７】
コンテンツの利用状態を制御するコンテンツ制御処理をコンピュータに実行させるコンテンツ制御プログラムであって、
コンテンツをダウンロードしたユーザーを特定するユーザー情報を管理するユーザー管理処理と、
ネットワーク回線を通じて前記ユーザーの位置情報を取得する位置情報管理処理と、
前記コンテンツを有効化する地理的な範囲を示すコンテンツ有効範囲及び閲覧可能期間を示す閲覧条件を少なくとも含むコンテンツ情報を管理するコンテンツ管理処理と、
前記ユーザーがダウンロードした前記コンテンツについての閲覧条件及び決済状態を少なくとも含む配信情報の管理と、前記コンテンツを有効とするか無効とするかの切り替え、とを行うコンテンツ配信処理と、行い、
前記コンテンツ配信処理において、
前記コンテンツの利用を要求した前記ユーザーの認証を前記ユーザー管理処理において行い、
前記ユーザーが前記ユーザー管理処理により認証されたことに応じて、認証された前記ユーザーにより利用が要求された前記コンテンツの前記閲覧条件を前記コンテンツ管理処理を介して読み出し、
前記ユーザーの前記位置情報、現在の日付を少なくとも含む現在条件が前記閲覧条件を満たし、かつ、前記配信情報中の前記コンテンツに対する決済が完了状態であることに応じて、前記コンテンツが利用可能条件を満たしたと判断し、前記ユーザーがダウンロードした前記コンテンツを無効状態から有効状態に切り替えるコンテンツ制御プログラム。